(57)【要約】【課題】オペレータの負担を軽減しつつ、取引者や消費者が一見して商品の重量を把握することが可能な視認性の優れたラベルを発行できる計量ラベル発行装置を提供する。【解決手段】商品の重量値と重量単位とを印字したラベルを発行する計量ラベル発行装置１であって、商品の重量を計量する計量手段２と、計量手段２から得られる重量値と重量単位とをラベルに印字する印字手段３３と、重量単位を切替える閾値を記憶する記憶手段１２と、計量手段から得られる重量値が閾値以上である場合に、重量単位を切り替えるようオペレータに警告する警告手段４とを備える構成である。【選択図】図２
2009115694.tif 000002
【特許請求の範囲】
【請求項１】
商品の重量値と重量単位とを印字したラベルを発行する計量ラベル発行装置であって、
商品の重量を計量する計量手段と、
前記計量手段から得られる重量値と重量単位とをラベルに印字する印字手段と、
重量単位を切替える閾値を記憶する記憶手段と、
前記計量手段から得られる重量値が前記閾値以上である場合に、重量単位を切り替えるようオペレータに警告する警告手段と、
を備えることを特徴とする計量ラベル発行装置。
【発明の詳細な説明】
【技術分野】
【０００１】
本発明は、例えば食肉加工工場、精肉工場、スーパーマーケット等において商品の重量を計量し、重量値と重量単位とを印字したラベルを発行する計量ラベル発行装置に関する。
【背景技術】
【０００２】
従来、商品の重量を計量する計量機能を有し、商品の重量値、単価及び価格を印字したラベルを発行する計量値付け装置が公知である（例えば、特許文献１）。このような装置で発行されるラベルには、商品の重量値と共に、その重量値に適した重量単位が付されており、これら重量値と重量単位により商品の重量表示が行われている。通常、ラベルに印刷する重量単位としてグラム単位が採用されており、例えばスーパーマーケット等で小分けして陳列する商品のラベルには、商品の重量値と、その重量値がグラム表示であることを示すグラム単位とが付されている。一方、上記のような装置は、商品の重量が１０キログラムを超えるものであっても計量可能であり、例えば食肉加工工場や精肉工場などではそのような１０キログラムを超える商品も頻繁に取引されている。
【０００３】
【特許文献１】特開２００２−２２１９０３号公報
【発明の開示】
【発明が解決しようとする課題】
【０００４】
ところが、１０キログラムを超える商品のラベルについて、例えば「１１８３５ｇ」のようにグラム単位を採用して重量表示を行うと、重量値の桁数が多くなって視認性が低下し、ラベルを一見して商品の重量を把握することが難しくなる。そのため取引者や消費者が重量値の桁数を読み違えるなど混乱を来し、商品を誤って購入する可能性があり、問題である。
【０００５】
一方、１０キログラムを超える商品であっても重量単位をグラム単位からキログラム単位に変更すれば、小数点以上の桁数は小さくなり、ラベルの視認性は改善される。しかし、従来の装置はオペレータが重量値に応じて手動操作で忘れずに重量単位を切替え設定する必要がある。そのため、オペレータは常に商品の重量値が所定値を超えたか否かを正確に判断する必要があり、オペレータの負担が増加する。また万一、オペレータが重量単位の切替え操作を忘れてしまった場合には、視認性の低いラベルが発行されてしまうのでこれを使用することはできず、ラベルを無駄にしてしまうと共に、あらためて重量単位を切り替えたうえでラベルの再発行を行う必要があり、オペレータの操作の負担が増えてしまうという問題もある。
【０００６】
本発明は、上記従来の問題点を解決することを目的としてなされたものであり、オペレータの負担を軽減しつつ、無駄なラベルが発行されることを防止して、取引者や消費者が一見して商品の重量値を把握できるような視認性の優れたラベルを発行できる計量ラベル発行装置を提供するものである。
【課題を解決するための手段】
【０００７】
上記目的を達成するため、本発明が解決手段として採用したところは、商品の重量値と重量単位とを印字したラベルを発行する計量ラベル発行装置であって、商品の重量を計量する計量手段と、前記計量手段から得られる重量値と重量単位とをラベルに印字する印字手段と、重量単位を切替える閾値を記憶する記憶手段と、前記計量手段から得られる重量値が前記閾値以上である場合に、重量単位を切り替えるようオペレータに警告する警告手段とを備える構成とした点にある。
【０００８】
かかる構成によると、計量手段から得られる商品の重量値が閾値以上である場合、警告手段がオペレータに対して重量単位を切り替えるように警告するので、オペレータは忘れることなく重量単位の切替え操作を行えるようになる。
【発明の効果】
【０００９】
本発明に係る計量ラベル発行装置によれば、計量手段から得られる商品の重量値が閾値以上である場合、警告手段がオペレータに対して重量単位を切り替えるように警告するので、オペレータの負担が軽減され、視認性の低いラベルの無駄な発行が防止されると共に、取引者や消費者が一見して商品の重量を把握することが可能な視認性の優れたラベルを発行できるようになる。
【発明を実施するための最良の形態】
【００１０】
以下図面に基づいて本発明の好ましい実施形態を詳述する。図１は本実施形態における計量ラベル発行装置１の外観斜視図である。計量ラベル発行装置１は、商品を載置して計量する計量部２と、ラベルを発行する本体部３と、本体部３の上部に設けられたタッチパネル式の液晶表示部４と、操作パネル５とを備えている。計量ラベル発行装置１は、商品名と単価が対応づけられた商品マスタを内部メモリに記憶しており、計量部２から商品の重量を得て、内部メモリから読み出した対応する商品の単価に基づいて演算を行うことより商品の値段を算出し、当該商品の重量とその重量単位、及び算出した商品の値段をラベルに印字して発行する。
【００１１】
計量部２は、本体部３の前方に配置されており、容器に入れられた食肉などの商品を載置台２ａの上面に載せた状態で計量を行う計量手段であり、この計量によって得られた商品の重量値を本体部３に出力して液晶表示部４に表示させる。この計量部２における計量においては、全体の重量から容器の風袋重量を排除するために、使用容器に対応する風袋重量を内部メモリから読み出して、実際の計量における重量値から容器の風袋重量を差し引いた重量が液晶表示部４に表示される。
【００１２】
本体部３は、計量部２に隣接する位置に配置されており、計量部２において計量された商品の商品名、重量値、重量単位、値段等を含む情報を、ロール状に巻き取り収容されている長尺のラベル台紙に貼り付けられた１枚のラベルに印字して発行する。本体部３の前面部分には、印字処理されたラベルを、ラベル台紙から剥離するための剥離板（図示せず）が設けられたラベル発行口６が設けられている。
【００１３】
液晶表示部４は、商品名、単価、計量部２における計量結果や、計量結果に基づいて算出される商品の値段などを表示する表示手段であると共に、計量結果が後述する単位切替設定値以上である場合にはオペレータに対して重量単位を切り替えるように促す警告画面を表示する警告手段としても機能する。
【００１４】
操作パネル５は、本体部３の上面側に配置されており、選択した商品に関する各種のデータを呼び出すための呼出キー、商品を選択するためのテンキー、直接タッチすることによって商品名を指定し商品に関するデータを呼び出すためのＰＬＵ（Price Look Up
）キー等を有している。
【００１５】
図２は、上述の計量ラベル発行装置１に設けられた制御機構を示すブロック図である。計量ラベル発行装置１の本体部３には、ＣＰＵが所定のプログラムを実行することによって実現される制御部１０と、操作パネル５及び液晶表示部４から成る入力部２０と、ラベルを発行するラベル発行部３０とを備えており、計量部２で計量された商品の重量値は制御部１０に入力する。
【００１６】
制御部１０は、演算部１１とメモリ１２とを備えている。演算部１１は、計量部２から商品の重量値を入力し、メモリ１２から当該商品情報を入力すると、その重量値を液晶表示部４に表示させると共に、ラベル発行部３０に対して印字情報を出力してラベルの発行を制御する。メモリ１２は商品マスタ１３及び単位切替設定値１４を記憶する記憶手段である。商品マスタ１３は上述のように商品名や単価などの情報が互いに対応づけられたデータであり、演算部１１はこの商品マスタ１３から対応する商品情報を読み出すことにより液晶表示部４に商品名や単価、値段などを表示させる。単位切替設定値１４はオペレータによって予め設定される値であり、商品の重量値と共にラベルに印字する重量単位を切り替える閾値である。例えば商品の重量値が１００００グラム以上のときに重量単位をグラム単位からキログラム単位に切り替える場合には、単位切替設定値１４として「１００００」の値が設定され、メモリ１４に記憶されている。
【００１７】
ラベル発行部３０は、ラベルロールが収納されたラベル収納部３１と、ラベル収納部３１からラベルを取り出すとともにラベル発行口６までラベルを搬送する搬送機構３２と、ラベルに対して印字を行う印字機構３３とを備えており、制御部３０から入力する印字情報に基づいてラベルを発行する。印字機構３３は例えばサーマルプリントヘッドなどで構成される印字手段であり、ラベルに対して商品の重量値とその重量単位とを印字する。また印字機構３３はラベルに対して商品名や単価、商品の値段などの情報も印字する。
【００１８】
次に計量ラベル発行装置１の動作について説明する。図３は計量ラベル発行装置１において商品の重量を計量してからラベルを発行するまでに上記制御部１０で行われる処理手順を示すフローチャートである。なお、この処理を開始するにあたっては商品の重量値の重量単位としてグラム単位が初期設定されるものとする。
【００１９】
まず、計量部２において商品の計量が行われると、制御部１０は計量部２から商品の重量値を入力する（ステップＳ１）。演算部１１はメモリ１２から商品マスタ１３を参照して商品名、単価などの情報を取得すると共に、商品の重量値と単価から商品の値段を算出し、液晶表示部４に表示させる。このとき液晶表示部４には、例えば図４に示すような画面Ｇ１が表示される。
【００２０】
続いて制御部１０の演算部１１がメモリ１２に記憶されている単位切替設定値１４を読み出し、計量部２から入力した重量値と単位切替設定値とを比較する（ステップＳ２）。すなわち、商品の重量値が重量単位を切替えるための閾値以上であるか否かを判断するのである。例えば上述したように単位切替設定値（閾値）１４として「１００００」の値が設定されている場合には、グラム単位で表した商品の重量値が１００００ｇ以上であるか否かの判断が行われることになる。そして商品の重量値が単位切替設置値（閾値）１４以上である場合（ＹＥＳの場合）にはステップＳ３に進み、演算部１１はオペレータに対して重量単位の切替え操作を行うように警告する警告画面を液晶表示部４に表示させる。
【００２１】
図５は商品の重量値が単位切替設定値（閾値）以上であった場合に液晶表示部４に表示される警告画面Ｇ２の一例を示す図である。この警告画面Ｇ２では、オペレータに重量単位の切替えを促すテキスト表示と共に、オペレータが操作可能な実行ボタンＢ１及び中止ボタンＢ２の２つのボタンが表示される。実行ボタンＢ１は商品の重量単位をグラム単位からキログラム単位に切り替えることを指示するボタンであり、中止ボタンＢ２は重量単位の切替えを行わずにラベルの発行を中止することを指示するボタンである。そして演算部１１はオペレータによって実行ボタンＢ１及び中止ボタンＢ２のいずれか一方に対する入力操作が行われるまで待機する（ステップＳ４）。そしてオペレータによりいずれかのボタン操作が行われた場合には待機状態を抜け出してステップＳ５に進む。
【００２２】
ステップＳ５において演算部１１はオペレータにより重量単位の切替え操作が行われたか否かの判断を行う。すなわち警告画面Ｇ２の実行ボタンＢ１と中止ボタンＢ２のいずれに対する操作が行われたかを判断し、実行ボタンＢ１である場合には、ステップＳ６に進んで重量単位の変更処理を行う。この重量単位の変更処理は、グラム単位で表現されていた商品の重量値を１／１０００演算することにより小数点を付したキログラム単位の重量値に変換すると共に、その変換後の重量値についてはキログラム単位による重量単位表示を採用するという処理である。したがって、ステップＳ６が行われた後は、計量ラベル発行装置１において商品の重量値はキログラム単位として取り扱われることになる。
【００２３】
そしてステップＳ７に進み、演算部１１はラベル発行部３０に出力する印字情報を生成する。このとき、商品の重量値としてキログラム単位が採用されている場合には、例えばその重量値に「ｋｇ」を付した印字情報が生成される。そしてステップＳ８ではステップＳ７で生成された印字情報がラベル発行部３０に出力され、ラベル発行部３０においてラベルの印字発行処理が行われる。
【００２４】
したがって、計量部２によって計量された商品の重量値が単位切替設定値１４以上であり、且つ、オペレータによって単位切替えの操作が行われた場合には、計量ラベル発行装置１において商品の重量表示がグラム表示からキログラム表示に切り替えられ、重量値がキログラム単位で表示されたラベルが発行される。図６は商品の重量値をキログラム単位で印字して発行されるラベル９の一例を示す図である。このラベル９では商品の重量表示９ａにおいて重量値が小数点を付して表されると共に、この重量値がキログラム単位であることを示す「ｋｇ」が印字される。したがって、小数点以上の桁数が小さくなってラベルの視認性が改善されるので、ラベル９を一見しただけで商品の重量が１１キログラム程度であることを把握することができるようになり、グラム表示の場合に比べて桁数を読み違えることはなく、大幅な重量値の誤認を防止できるようになる。
【００２５】
これに対し、計量部２から入力した商品の重量値が単位切替設定値（閾値）１４未満であった場合には、ステップＳ２においてＮＯと判断され、重量単位の変更処理が行われることなく、ステップＳ７，Ｓ８に進んで印字情報の生成及び出力が行われる。例えば本実施形態において計量部２が計量した商品の重量値が１００００ｇ未満である場合には、ステップＳ２からステップＳ７に進み、商品の重量値として初期設定であるグラム単位が採用されているので、ラベルに印字する重量値をグラム単位のままで表し、この重量値に付す重量単位として例えば「ｇ」を選択して印字情報が生成される。そしてステップＳ８ではステップＳ７で生成された印字情報がラベル発行部３０に出力され、ラベル発行部３０においてラベルの印字発行処理が行われる。この場合、計量ラベル発行装置１から発行されるラベルには商品の重量値がグラム単位で表示される。
【００２６】
また計量部２によって計量された商品の重量値が単位切替設定値１４以上であったが、オペレータによって単位切替えの操作が行われなかった場合（すなわち、ステップＳ４の入力待機状態で警告画面Ｇ２の中止ボタンＢ２が操作された場合）には、ステップＳ５においてＮＯと判断され、ラベルを発行することなく手順を終了する。したがって、この場合には、一見して重量値を把握することが難しいような視認性の低いラベルの発行が防止され、ラベルを無駄にすることがなくなる。
【００２７】
以上で１回の計量について制御部１０が実行する処理手順が終了する。商品の計量ラベル発行を繰り返し行う場合には、制御部１０において上述の処理が繰り返し実行されることになる。
【００２８】
本実施形態の計量ラベル発行装置１は、上述したように、計量部２から得られる商品の重量値が単位切替設定値（閾値）以上である場合に、重量単位を切り替えるようオペレータに警告するように構成されているので、オペレータは商品の重量値が単位切替設定値を超えたか否かを自身で判断する必要がなくなり、オペレータの負担は軽減する。また警告により、オペレータは重量単位の切替え操作を忘れることなく行えるようになるので、オペレータの操作負担も軽減する。
【００２９】
尚、本発明は上記実施形態において説明した内容に限定されるものではなく、本発明には種々の変形例が適用可能である。例えば、上記実施形態においては、単位切替設定値（閾値）として「１００００」の値が設定される場合を例示したが、この値について本発明は特にこれに限定するものではない。例えば商品の重量値が５０００グラム以上の場合に重量単位をキログラム単位に切替える場合には単位切替設定値（閾値）として「５０００」の値を予め設定しておけばよく、その値については任意に設定可能である。
【００３０】
また上記実施形態においては、図３のフローチャートの処理手順が商品の１回の計量について制御部１０が実行する処理手順であることを例示した。そのため、上記実施形態の場合には、商品を計量する度に、商品の重量値が１００００グラム以上であれば、警告画面が表示され、オペレータは単位切替え操作を行うことが必要になる。しかし、本発明は、このような実施形態に限定するものではなく、例えば複数回繰り返して商品の計量を行う場合、最初に商品の重量値が１００００グラム以上となったときにオペレータが単位切替え操作を行えば、計量ラベル発行装置１においてキログラム単位の設定を継続し、それ以降の商品の計量時には商品の重量値にかかわず常にキログラム単位を採用してラベルを発行するように構成しても良い。具体的に説明すると、図３に示すフローチャートの処理手順が商品計量の都度繰り返し行われる場合において、ある商品の計量時にステップＳ６の処理が行われた場合には、それ以降の商品の計量時にはステップＳ２〜Ｓ６が省略され、ステップＳ１・Ｓ７・Ｓ８の順で処理を行うようにしても良い。この場合、オペレータの操作負担がより軽減されることになる。
【００３１】
更に上記実施形態においては、商品の重量値が単位切替設定値（閾値）以上であったときにオペレータにその旨を警告する手段として、液晶表示部４に警告画面を表示させる場合を例示した。しかし、本発明の警告手段は、液晶表示部に警告画面を表示することに限定するものではない。例えば、スピーカより警告音を発生することによる警告や、警告ランプを点灯させることによる警告など、本発明の警告手段はこれらのいずれを採用しても良い。
【図面の簡単な説明】
【００３２】
【図１】本発明の一例として示す計量ラベル発行装置の外観斜視図である。
【図２】計量ラベル発行装置に設けられた制御機構の一例を示すブロック図である。
【図３】計量ラベル発行装置において商品の重量を計量してからラベルを発行するまでに制御部で行われる処理手順の一例を示すフローチャートである。
【図４】計量部が商品の重量値を計量したときに液晶表示部に表示される画面の一例を示す図である。
【図５】商品の重量値が単位切替設定値（閾値）以上であった場合に液晶表示部に表示される警告画面の一例を示す図である。
【図６】重量単位が切り替えられ、商品の重量値をキログラム単位で印字して発行されるラベルの一例を示す図である。
【符号の説明】
【００３３】
１  計量ラベル発行装置
２  計量部（計量手段）
４  液晶表示部（警告手段）
９  ラベル
１２  メモリ（記憶手段）
１４  単位切替設定値（閾値）
３３  印字機構（印字手段）
Ｇ２  警告画面
【図１】
2009115694.tif 000003
【図２】
2009115694.tif 000004
【図３】
2009115694.tif 000005
【図４】
2009115694.tif 000006
【図５】
2009115694.tif 000007
【図６】
2009115694.tif 000008